(57)【要約】【課題】ハードウェア制御を必要とせず高速に表示デバイスの信号の切り替えをすることができる情報処理装置および制御方法を提供する。【解決手段】代替信号出力手段３０は、グラフィックスコントローラ２３から切り替え信号を受信すると、映像信号の出力を停止し、グラフィックスコントローラ２３から入力されている切り替え前の第１の同期信号を用いて、ＬＣＤ１１に第１の代替信号を出力し、切り替え後の第２の同期信号を第１の代替信号と同期するように補正してＬＣＤ１１に第２の代替信号を出力し、第２の代替信号の出力を停止し、映像信号の出力を行う。【選択図】      図２
2007271755.tif 000002
【特許請求の範囲】
【請求項１】
グラフィックスコントローラと、
前記グラフィックスコントローラからの映像信号を入力する信号出力手段と、
前記信号出力手段から出力された映像信号を受信して表示する表示手段とを備え、
前記信号出力手段は、
前記グラフィックスコントローラから切り替え信号を受信すると、前記映像信号の前記表示手段への出力を停止し、前記グラフィックスコントローラから入力されている切り替え前の第１の同期信号を用いて、前記表示手段に第１の信号を出力し、前記第１の信号を出力後に、切り替え後の第２の同期信号を前記第１の信号と同期するように補正して前記表示手段に第２の信号を出力し、前記第２の信号を出力後に、当該第２の信号の出力を停止し、前記映像信号の出力を前記表示手段に行うことを特徴とする情報処理装置。
【請求項２】
請求項１記載の情報処理装置において、
前記グラフィックスコントローラは、前記信号出力手段を内蔵していることを特徴とする情報処理装置。
【請求項３】
請求項１記載の情報処理装置において、
前記グラフィックスコントローラは、映像出力ポートを２つ以上備えていることを特徴とする情報処理装置。
【請求項４】
請求項１記載の情報処理装置において、
前記グラフィックスコントローラは、２つ以上の映像信号の出力を１つの統合する統合手段を備えていることを特徴とする情報処理装置。
【請求項５】
グラフィックスコントローラと、
前記グラフィックスコントローラからの映像信号を入力する信号出力手段と、
前記信号出力手段から出力された映像信号を受信して表示する表示手段とを備え、
前記信号出力手段は、
前記グラフィックスコントローラから切り替え信号を受信すると、前記映像信号の出力を停止し、前記グラフィックスコントローラから入力されている切り替え前の第１の同期信号をサンプリングし、サンプリングされた前記第１の同期信および予め設定された所定の色レベル信号を前記表示手段に第１の信号として出力し、前記第１の信号を出力後に、切り替え後の同期信号をサンプリングし、サンプリングされた同期信号を第２の同期信号を前記第１の信号と同期するように補正して、当該第２の同期信号および予め設定された所定の色レベル信号を前記表示手段に第２の信号として出力し、前記第２の信号を出力後に、当該第２の信号の出力を停止し、前記映像信号の出力を前記表示手段に行うことを特徴とする情報処理装置。
【請求項６】
請求項５記載の情報処理装置において、
前記グラフィックスコントローラは、前記信号出力手段を内蔵していることを特徴とする情報処理装置。
【請求項７】
請求項５記載の情報処理装置において、
前記グラフィックスコントローラは、映像出力ポートを２つ以上備えていることを特徴とする情報処理装置。
【請求項８】
請求項５記載の情報処理装置において、
前記グラフィックスコントローラは、２つ以上の映像信号の出力を１つの統合する統合手段を備えていることを特徴とする情報処理装置。
【請求項９】
請求項５記載の情報処理装置において、
前記所定の色レベル信号は、黒色レベル信号であることを特徴とする情報処理装置。
【請求項１０】
グラフィックスコントローラから切り替え信号を受信すると、前記グラフィックスコントローラから入力された映像信号の表示手段への出力を停止し、前記グラフィックスコントローラから入力されている切り替え前の第１の同期信号を用いて、前記表示手段に第１の信号を出力し、
前記第１の信号を出力後に、切り替え後の第２の同期信号を前記第１の信号と同期するように補正して前記表示手段に第２の信号を出力し、
前記第２の信号を出力後に、当該第２の信号の出力を停止し、前記映像信号の出力を前記表示手段に行うことを特徴とする制御方法。
【発明の詳細な説明】
【技術分野】
【０００１】
本発明は、ノート型コンピュータの電源の制御に係り、特に映像信号の出力の切り替えをスムーズに行うことができる情報処理装置および制御方法に関する。
【背景技術】
【０００２】
ノート型のパーソナルコンピュータにおいて、例えば特開平６−１７８２０６号公報に開示されているように、ＧＰＵの出力信号の切り替え時には、切り替え前に表示デバイスの電源をＯＦＦし、切り替えを行った後に表示デバイスの電源をＯＮすることで切り替え時の表示デバイスの画面の乱れを軽減させている（特許文献１参照）。
【特許文献１】特開平６−１７８２０６号公報
【発明の開示】
【発明が解決しようとする課題】
【０００３】
しかし、上述した技術では、表示デバイスの電源のＯＮ／ＯＦＦといったハードウェアの制御が必要になり、表示デバイスの電源のＯＮ／ＯＦＦの処理に時間を要し、画面の切り替えを高速に行うことができない。
【０００４】
本発明の目的は、ハードウェア制御を必要とせず高速に表示デバイスの信号の切り替えをすることができる情報処理装置および制御方法を提供することである。
【課題を解決するための手段】
【０００５】
上記目的を達成するために、本発明の一態様によれば、グラフィックスコントローラと、前記グラフィックスコントローラからの映像信号を入力する信号出力手段と、前記信号出力手段から出力された映像信号を受信して表示する表示手段とを備え、前記信号出力手段は、前記グラフィックスコントローラから切り替え信号を受信すると、前記映像信号の前記表示手段への出力を停止し、前記グラフィックスコントローラから入力されている切り替え前の第１の同期信号を用いて、前記表示手段に第１の信号を出力し、前記第１の信号を出力後に、切り替え後の第２の同期信号を前記第１の信号と同期するように補正して前記表示手段に第２の信号を出力し、前記第２の信号を出力後に、当該第２の信号の出力を停止し、前記映像信号の出力を前記表示手段に行うことを特徴とする情報処理装置が提供される。
【０００６】
また、グラフィックスコントローラから切り替え信号を受信すると、前記グラフィックスコントローラから入力された映像信号の表示手段への出力を停止し、前記グラフィックスコントローラから入力されている切り替え前の第１の同期信号を用いて、前記表示手段に第１の信号を出力し、前記第１の信号を出力後に、切り替え後の第２の同期信号を前記第１の信号と同期するように補正して前記表示手段に第２の信号を出力し、前記第２の信号を出力後に、当該第２の信号の出力を停止し、前記映像信号の出力を前記表示手段に行うことを特徴とする制御方法が提供される。
【発明の効果】
【０００７】
本発明を用いることにより、ハードウェア制御を必要とせず高速に表示デバイスの信号の切り替えをすることができる。
【発明を実施するための最良の形態】
【０００８】
以下図面を参照して、本発明の実施形態について説明する。
【０００９】
図１には、本発明の一実施形態に係る情報処理装置の斜視図が示されている。この情報処理装置は、バッテリ駆動可能なノートブック型コンピュータ１０として実現されている。
【００１０】
図１に示すように、コンピュータ１０は、本体１６と、ディスプレイ１１とから構成されている。ディスプレイ１１にはＬＣＤ（Liquid Crystal Display）からなる表示装置が組み込まれており、そのＬＣＤの表示画面１２はディスプレイ１１のほぼ中央に位置されている。
【００１１】
ディスプレイ１１は、コンピュータ１０に対して解放位置と閉塞位置との間を開閉自在に取り付けられている。コンピュータ１０の本体側は薄い箱形の筐体を有しており、その上面には、キーボード１３、パームレスト上にはタッチパッド１４、および左右２つのボタン１４ａ、１４ｂ、電源ボタン、表示切替等のショートカットボタン１８等が配置されている。また、本体１６の側面には、光学ドライブ１５等が設けられている。
【００１２】
図２は、コンピュータの構成を示したブロック図である。
【００１３】
コンピュータ１０は、ＣＰＵ（Central Processing Unit）２０、Root Complex２１、主メモリ２４、グラフィクスコントローラ(End Point)２３、Root Complex２１とグラフィクスコントローラ２３とを接続するPCI Express Link２２、ディスプレイ１１、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、ＥＣ／ＫＢＣ２７に接続された入力デバイスである、キーボード１３、タッチパッド１４などを備えている。
【００１４】
Root Complex２１、グラフィクスコントローラ２３等は、PCI EXPRESS規格に準拠したデバイスである。Root Complex２１とグラフィクスコントローラ２３との間の通信は、Root Complex２１とグラフィクスコントローラ２３との間に配設されたPCI Express Link２２を介して実行される。
【００１５】
ＣＰＵ２０は、本コンピュータ１０の動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳはハードウェアを制御するためのプログラムである。
【００１６】
Root Complex２１は、ＣＰＵ２０のローカルバスとグラフィクスコントローラ２３との間を接続するブリッジデバイスである。また、Root Complex２１は、PCI Express Link２２を介してグラフィクスコントローラ２３との通信を実行する機能も有している。
【００１７】
グラフィクスコントローラ２３は、本コンピュータのディスプレイモニタとして使用されるディスプレイ１１を制御する表示コントローラである。グラフィクスコントローラ２３からは、代替信号出力手段３０を介して、高画質化回路（ＳＶＰ）を経由するＴＭＤＳ信号と、高画質化回路（ＳＶＰ）を経由しないＬＶＤＳ信号とを表示デバイスであるＬＣＤに出力する。
【００１８】
ＥＣ／ＫＢＣ２７は、電力管理のためのエンベデッドコントローラと、キーボード１３およびタッチパッド１４等を制御するためのキーボードコントローラとが集積された１チップマイクロコンピュータである。このＥＣ／ＫＢＣ２７は、ユーザによるパワーボタンの操作に応じて、電源コントローラと共同して、本コンピュータ１０をパワーＯＮ／パワーＯＦＦする機能を有している。
【００１９】
次に本発明の一実施形態に係る情報処理装置の制御方法について、図３のフローチャートを参照して説明する。
【００２０】
表示切替ショートカットキー１８のキー入力があった場合は（ステップＳ１０１のＹＥＳ）、ＥＣ／ＫＢＣ２７にイベントが発生する（ステップＳ１０２）。続いて、システムＢＩＯＳがＯＳ（Operation System）に表示切替要求を通知する（ステップＳ１０３）。表示切替要求を受信したＯＳは、ユーティリティに切り替え要求を出す（ステップＳ１０４）。ユーティリティがディスプレイドライバの機能を呼び出す（ステップＳ１０５）。ディスプレイドライバがＧＰＵ（グラフィックコントローラ）を制御する（ステップＳ１０６）。システムＢＩＯＳが代替信号出力手段３０に、切り替え前の同じ同期信号（第１の同期信号）をサンプリングし、サンプリングされた第１の同期信号を用いて、例えば黒色レベル信号を代替信号として出力させる（ステップＳ１０７）。このとき、ＧＰＵからＳＶＰ３０に入力される映像信号のＬＣＤ１１への出力を停止する。
【００２１】
ＧＰＵが備えるポートをＬＶＤＳからＴＭＤＳに切り替える（ステップＳ１０８、図５参照）。ディスプレイドライバがシステムＢＩＯＳに切り替え終了を通知し、システムＢＩＯＳが代替信号出力手段３０に、切り替え後の同期信号（第２の同期信号）をサンプリングし、第１の同期信号と同期するように補正して、第２の同期信号を用いて、黒色レベル信号を代替信号として出力させる（ステップＳ１０９）。その後、黒色レベル信号を停止し（ステップＳ１１０）、ＧＰＵからＳＶＰ３０に入力される映像信号をＬＣＤ１１へ出力し、切り替え動作を終了する。なお、上述したようなＧＰＵからの出力信号を切り替えは、例えば表示デバイスの解像度の変更等を行う場合に用いられる。
【００２２】
以上、本実施形態を用いることにより、ハードウエア制御を行うことなく、容易に、かつ高速にＧＰＵからの出力信号を切り替えることができる。
【００２３】
また、上述した実施形態では、表示切替ショートカットキー１８を押下した場合について説明したが、変形例としては、図４に示すように、ＤＶＤディスクを挿入した場合等にもＤＶＤの再生に最適な解像度に自動的に切り替える等の処理が可能である。
【００２４】
すなわち、ＤＶＤの挿入を確認すると（ステップＳ２０１のＹＥＳ）、ＤＶＤ再生用のアプリケーションが起動する（ステップＳ２０２）。起動したアプリケーションはＯＳにＤＶＤの再生要求がなされた旨を通知する（ステップＳ２０３）。表示切替要求を受信したＯＳは、ユーティリティに切り替え要求を出す（ステップＳ２０４）。以下、ステップＳ２０５〜ステップＳ２１０は、上述したステップＳ１０５〜ステップＳ１１０と同様の処理を行う。
【００２５】
このように、ＤＶＤディスクの挿入によるＤＶＤの自動再生時においても最適な解像度にハードウエア制御を行うことなく、容易に、かつ高速にＧＰＵからの出力信号を切り替えることができる。
【００２６】
また、上述した実施形態では、グラフィクスコントローラ２３からは、代替信号出力手段３０を介して、高画質化回路（ＳＶＰ）を経由するＴＭＤＳ信号と、高画質化回路（ＳＶＰ）を経由しないＬＶＤＳ信号とを表示デバイスであるＬＣＤに出力するように構成していたが、例えば図５に示すように、代替信号出力手段を高画質化回路（ＳＶＰ）３０に内蔵させて、高画質化回路（ＳＶＰ）３０内でＬＶＤＳ信号をスルーして出力させるようにしてもよい。さらに、図６に示すように、グラフィクスコントローラ２３に信号統合器２３ａを設け、信号統合器２３ａによってＴＭＤＳ信号とＬＶＤＳ信号とを統合し、グラフィクスコントローラ２３からの出力ポートを１つに纏めるようにしてもよい。
【００２７】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明の一実施形態に係る情報処理装置であるノートブック型コンピュータを示した斜視図。
【図２】本発明の一実施形態に係る情報処理装置であるノートブック型コンピュータの構成を示したブロック図。
【図３】本発明の一実施形態に係る情報処理装置の制御方法について説明したフローチャート。
【図４】本発明の一実施形態に係る情報処理装置の制御方法の変形例について説明したフローチャート。
【図５】本発明の一実施形態に係る情報処理装置の構成の変形例ついて説明した模式図。
【図６】本発明の一実施形態に係る情報処理装置の構成の変形例ついて説明した模式図。
【符号の説明】
【００２９】
１０…コンピュータ、１１…ＬＣＤ、１２…表示画面、１３…キーボード、１４…タッチパッド、１４ａ．１４ｂ…ボタン、１５…光学ドライブ、１６…本体、１８…ショートカットボタン、２０…ＣＰＵ、２３…グラフィクスコントローラ、２３ａ…信号統合器、２４…主メモリ、２５…ＨＤＤ、２７…ＥＣ／ＫＢＣ、３０…代替信号出力手段、３０…高画質化回路（ＳＶＰ）。
【図１】
2007271755.tif 000003
【図２】
2007271755.tif 000004
【図３】
2007271755.tif 000005
【図４】
2007271755.tif 000006
【図５】
2007271755.tif 000007
【図６】
2007271755.tif 000008